(57)【要約】【課題】マルチ経路データ区間のサーチ時エラーが生じないようにするサーチ方法を提供する。【解決手段】本発明は、高密度光記録媒体でのマルチ経路データ収容方法に関するものであり、本発明データ記録方法は、データストリームを高密度光記録媒体に記録する時、マルチ経路のデータストリームの区間を一つの記録集合体として区画し、マルチ経路のデータの各経路の境界地点をアクセスできる位置情報を有するタイムエントリー情報を生成して記録する。そして、タイムエントリーにはまた該当するデータストリーム区間がマルチ経路データであるのか否かを識別する情報が記録される。このような記録方法によって再生モードで、マルチ経路によるデータサーチエラーが生じなくなる。【選択図】  図３
2005149719.tif 000002
【特許請求の範囲】
【請求項１】
データサーチ要求時、サーチ要求された目標値に最も近接した累積時間値を有するタイムエントリーを探す１段階、前記探したタイムエントリーの経路情報が入力された経路と一致しているか否かを確認する２段階、及び前記確認結果によって、前記探したタイムエントリーに記録された累積大きさ情報を参照して、記録されたデータストリームの該当位置をサーチする３段階を含んでいることを特徴とする高密度光記録媒体でのデータサーチ方法。
【請求項２】
前記サーチされたデータストリームの位置から記録されたデータストリームを再生しながら、前記サーチ要求された目標値の正確な位置を決定する４段階をさらに含んでいることを特徴とする請求項１に記載の高密度光記録媒体でのデータサーチ方法。
【請求項３】
前記３段階は、前記タイムエントリーに記録された特定位置情報をさらに参照して、記録されたデータストリームの該当位置をサーチすることを特徴とする請求項１に記載の高密度光記録媒体でのデータサーチ方法。
【請求項４】
前記特定位置情報は、データストリームを構成する記録単位体のインデックス番号情報であることを特徴とする請求項３に記載の高密度光記録媒体でのデータサーチ方法。
【請求項５】
前記１段階は、サーチ要求された目標値を越えないながら最も近接した累積時間値を有するタイムエントリーを探すのを特徴とする請求項１に記載の高密度光記録媒体でのデータサーチ方法。
【請求項６】
データサーチ要求時、各タイムエントリーの時間増加分と大きさ増加分とを合算する１段階、前記合算される時間情報がサーチ要求された目標値に最も近接するようになるタイムエントリーを探す２段階、前記探したタイムエントリーの経路情報が入力された経路と一致しているか否かを確認する３段階、及び前記確認結果によって、前記目標値に近接するデータストリームの記録位置をサーチする４段階を含んでいることを特徴とする高密度光記録媒体でのデータサーチ方法。
【請求項７】
前記４段階は、前記合算された大きさ値で前記探したタイムエントリーの大きさ増加分が減算された大きさ値と、前記探したタイムエントリーに記録された特定位置情報を参照して、前記目標値に近接するデータストリームの記録位置をサーチすることを特徴とする請求項６に記載の高密度光記録媒体でのデータサーチ方法。
【請求項８】
前記特定位置情報は、データストリームを構成する記録単位体のインデックス番号情報であることを特徴とする請求項７に記載の高密度光記録媒体でのデータサーチ方法。
【請求項９】
前記サーチされたデータストリームの位置から記録されたデータストリームを再生しながら、前記サーチ要求された目標値の正確な位置を決定する５段階をさらに含んでいることを特徴とする請求項６に記載の高密度光記録媒体でのデータサーチ方法。
【請求項１０】
前記２段階は、サーチ要求された目標値を超過するようになる合算時間値を有するタイムエントリーを探すことを特徴とする請求項６に記載の高密度光記録媒体でのデータサーチ方法。
【請求項１１】
前記１段階は、各タイムエントリー類型情報に含んで記録されたストリーム経路番号情報に基づいて、同一経路に該当するタイムエントリーの時間増加分を合算して、大きさ増加分に対しては経路に関係なく以前タイムエントリーの大きさ情報をすべて合算することを特徴とする請求項６に記載の高密度光記録媒体でのデータ再生方法。
【発明の詳細な説明】
【技術分野】
【０００１】
本発明は、特定記録区間にマルチアングルまたはマルチストーリーのようなマルチ経路（Multi-Path）ストリームを高密度ＤＶＤ（ＨＤＶＤ：High Density Digital Versatile Disc）のような次世代高密度光記録媒体に実現する方法と、それによるデータサーチ方法及びデータ再生方法に関するものである。
【背景技術】
【０００２】
最近、デジタル放送信号を受信して高解像度の映像画面を出力するデジタルテレビが急速に普及している。
【０００３】
一方、目下記録方式に対する標準規格を論議中である次世代記録媒体である高密度ＤＶＤ再生器は、ＩＥＥＥ１３９４のようなデジタルインタフェースを通して、高解像度の映像画面を出力するデジタルテレビと連結使用できるように開発されている。
【０００４】
ところで、現在広く普及して用いられている記録専用ＤＶＤ−ＲＯＭは、異なる角度で撮影された、少なくとも２つ以上の異なったデータストリームが多重に記録されるマルチアングル記録区間、または異なるストーリーに相当する、少なくとも２つ以上異なったデータストリームが多重記録されるマルチストーリー記録区間を有する記録データを含むことができる。この区間では、ユーザーがＤＶＤ−ＲＯＭに記録されたマルチアングルまたはマルチストーリーのデータストリームであるマルチ経路ストリーム自身が所望する任意の一経路を選択してその経路に属するデータストリームを再生できるようになっている。
【０００５】
したがって、現在標準規格が論議中である高密度ＤＶＤも既存のＤＶＤ−ＲＯＭのようにマルチ経路ストリームを支援できなければならない。ところで、高密度ＤＶＤはＤＶＤ−ＲＯＭとは異なったナビゲーションデータ構造（例、ＴＭＡＰテーブル採用）を暫定的な基本構造として採択しているので、ＤＶＤ−ＲＯＭのマルチ経路支援形態をそのまま高密度ＤＶＤに適用することができない。これにより、次世代記録媒体である高密度ＤＶＤでもマルチ経路ストリームを支援できるデータストリーム記録方式とナビゲーションデータ構造を開発する必要がある。
【発明の開示】
【発明が解決しようとする課題】
【０００６】
したがって、本発明は前記のような問題点を解決するために案出されたものであり、本発明の目的は、マルチ経路データストリーム区間を一つの記録集合体で区画して、そこにマルチ経路に対する情報と各経路の境界点に対する情報とを有する管理情報が必ず存在するようにした光記録媒体のマルチ経路データストリームの実現方法を提供することである。
【０００７】
本発明の他の目的は、前記のような管理情報を利用してマルチ経路データ区間のサーチ時エラーが生じないようにするサーチ方法を提供することにある。
【課題を解決するための手段】
【０００８】
前記目的を達成するための本発明による高密度光記録媒体におけるマルチ経路データ記録方法は、データストリームを高密度光記録媒体に記録する時、マルチ経路のデータストリームの区間を一つの記録集合体として区画し、マルチ経路のデータの各経路の境界地点をアクセスできる位置情報を有するタイムエントリー情報を生成して記録することを特徴とする。
【０００９】
また、本発明による高密度光記録媒体でのデータサーチ方法は、データサーチ要求時、サーチ要求された目標値に最も近接した累積時間値を有するタイムエントリーを探して、その探したタイムエントリーの経路情報が入力された経路と一致しているか否かを確認し、その確認結果によって、探したタイムエントリーに記録された累積大きさ情報を参照して、記録されたデータストリームの該当する位置をサーチすることを特徴とする。
【００１０】
さらに、本発明による他の高密度光記録媒体でのデータサーチ方法は、データサーチ要求時、各タイムエントリーの時間増加分と大きさ増加分とを合算して、合算された時間情報がサーチ要求された目標値に最も近接するようになるタイムエントリーを探し、その探したタイムエントリーの経路情報が入力された経路と一致しているか否かを確認した後に、確認結果によって、目標値に近接するデータストリームの記録位置をサーチすることを特徴とする。
【００１１】
また、本発明による高密度光記録媒体は、多数の記録単位体で構成されたデータストリームとストリーム区間に対する多数のタイムエントリー情報を含むが、マルチストリームのデータ区間を一つの記録集合体として区画し、その記録集合体内に経路が異なる記録データ区間の境界地点を指す位置情報を有するタイムエントリー情報を必ず有するようにしたことを特徴とする。
【発明の効果】
【００１２】
前記のような本発明による高密度光記録媒体におけるマルチ経路データ実現方法と、それによるデータサーチ方法は、記録単位体に対するマッピングリストのような全体サーチ情報とマルチ経路ストリームを並存させ、また特定記録区間にマルチ経路ストリームがある場合、マルチ経路による高密度光記録媒体でのデータサーチエラーが生じないようにすることができる。
【発明を実施するための最良の形態】
【００１３】
以下、本発明による高密度光記録媒体におけるマルチ経路データ記録と、それによるデータサーチ方法、そして高密度光記録媒体に対する望ましい実施形態を添付された図面によって詳細に説明する。
【００１４】
まず、本発明では高密度ＤＶＤの特定記録区間に多重記録されたマルチ経路ストリームを有するように作成したデータを記録するとき、マルチ経路に属するデータを一つの記録集合体として区画管理する。例えば、図１に図示したように、再生管理情報（Ｃｅｌｌ）である第１及び第２セルによって参照される第１プログラムＰＧ１と、第７及び第８セルによって参照される第４プログラムＰＧ４とが、一つのアングルとして記録されたデータストリームを有し、その管理情報がそれぞれ異なる各々の記録集合体ＨＯＢ１、ＨＯＢ３に対応している。一方、マルチアングル記録区間に属するデータストリームは一つの記録集合体ＨＯＢ２で区画管理されるが、第１アングルのデータ区間は第２プログラムＰＧ２に対応し、再生管理情報である第３及び第５セルによって参照されて、第２アングルのデータ区間は第３プログラムＰＧ３に対応し、再生管理情報である第４及び第６セルによって参照される。
【００１５】
そして、迅速なアングル間の転換のために相互に対応する再生時間帯のマルチ経路のデータ区間は物理的に近接した記録位置に相互に間挿記録され、マルチ経路の各経路に対応する前記第２プログラムと第３プログラムとのデータストリームは再生時間は互いに同一である。
【００１６】
一方、前記のように区画された各々の記録集合体ＨＯＢ１、ＨＯＢ２、ＨＯＢ３は記録単位体ＨＯＢＵで構成されるが、任意の１記録単位体を迅速にサーチまたはランダムアクセスするためのサーチ情報すなわち、マッピングリストも前記のようなマルチ経路データ記録に適合した構造を有する。
【００１７】
マッピングリストの全体構造は図２に図示したように、第１、第２及び第３記録集合体ＨＯＢ１、ＨＯＢ２、ＨＯＢ３を構成する多数の記録単位体ＨＯＢＵに対する記録単位体エントリー情報ＨＯＢＵ  Ｅｎｔｒｙと、マッピングリストの一般情報にその個数が指定された数だけの記録集合体に対応して、大きさ及び時間情報、そして経路に対する情報を含めて記録するタイムエントリー情報Ｔｉｍｅ  Ｅｎｔｒｙ、そして記録単位体エントリー情報及びタイムエントリー情報に対する一般管理情報が記録されるマッピングリスト一般情報（ＭＡＰＬ  Ｇｅｎｅｒａｌ  Ｉｎｆｏｒｍａｔｉｏｎ）ＭＡＰＬ＿ＧＬで構成されている。前記マッピングリスト一般情報には、いくつのＨＯＢＵに一つのタイムエントリーを生成させたかを知らせるタイムエントリー間隔情報（Ｔｉｍｅ  Ｅｎｔｒｙ  Ｉｎｔｅｒｖａｌ）ＴＭ＿ＥＮＴ＿ＩＴ、すなわち例えば１０個などのエントリー個数情報と、マッピングリストに記録されたタイムエントリーの個数情報（ＴＭ＿ＥＮＴ＿Ｎｓ：Ｎｕｍｂｅｒ  ｏｆ  Ｔｉｍｅ  Ｅｎｔｒｙ）、そしてマッピングリストに記録された記録単位体エントリーの個数情報（Ｎｕｍｂｅｒ  ｏｆ  ＨＯＢＵ  Ｅｎｔｒｙ）ＨＯＢＵ＿ＥＮＴ＿Ｎｓが記録される。
【００１８】
そして、本発明によるタイムエントリー情報には、図３に図示したように、タイムエントリーの類型情報（Ｔｙｐｅ  ｏｆ  Ｔｉｍｅ  Ｅｎｔｒｙ）ＴＭ＿ＥＮＴ＿ＴＹと、タイムエントリーに対応する記録単位体エントリーのスタートインデックス番号情報ＳＴ＿ＨＯＢＵ＿ＩＤＸ、そしてセクタ単位で、以前に記録単位体に対して累積算出された累積大きさ情報（Ａｃｃｕｍｕｌａｔｅｄ  Ｓｉｚｅ）ＡＣＣ＿ＳＺと、単一経路の以前記録単位体とマルチ経路の場合には同一経路の以前記録単位体に対して累積算出された累積時間情報（Ａｃｃｕｍｕｌａｔｅｄ  Ｔｉｍｅ）ＡＣＣ＿ＴＭが記録管理されるが、タイムエントリー類型情報には、ストリームの類型がマルチアングルストリームか否かを示す２ビットのストリーム類型情報（Ｓｔｒｅａｍ  Ｔｙｐｅ）ＳＴＲＭ＿ＴＹと、タイムエントリーによって提示されたストリームのアングル番号を示す４ビットのストリームアングル番号情報（Ｓｔｒｅａｍ  Ａｎｇｌｅ  ｎｕｍｂｅｒ）ＳＴＲＭ＿Ｎが含まれる１バイトの記録大きさで記録できる。
【００１９】
上記２ビットのストリーム類型情報ｂ７、ｂ６は「０、０」の場合には、タイムエントリー情報が一般的なデータストリームに該当し、「０、１」の場合には、タイムエントリー情報がマルチアングルストリームに該当することを意味し、この時ストリームアングル番号情報にはマルチアングルストリームのアングル番号が記録される。
【００２０】
一方、記録単位体エントリー情報には、図４に図示したように、記録単位体の最初の参照映像の大きさ、すなわち記録単位体のスタートから最初のＩ−ピクチュアの最後までの距離の大きさ情報１ＳＴＲＥＦ＿ＳＺと、記録単位体の大きさ情報ＨＯＢＵ＿ＳＺ、そして記録単位体内のＧＯＰ（Ｇｒｏｕｐ  ｏｆ  Ｐｉｃｔｕｒｅ）個数情報ＧＯＰ＿Ｎｓと、記録単位体内のビデオフィールドの個数を示す情報ＨＯＢＵ＿ＰＤが記録される。
【００２１】
図５は、図１のマルチ経路データストリームの例に対して、前述したタイムエントリーのフィールドに記録された情報を図式化させ示したことである。
【００２２】
マルチ経路ストリームの各ストリームセグメント、すなわちＣｅｌｌ３、４、５、６に対応する記録単位体に対するタイムエントリーのフィールドの記録情報を説明する。マルチ経路のｃｅｌｌ３の最初のＨＯＢＵ（Ｌ＋１）をカバーするタイムエントリー＃Ｉ＋１の「ＳＴ＿ＨＯＢＵ＿ＩＤＸ」にはＨＯＢＵ（Ｌ＋１）のインデックス番号が記録され、「ＡＣＣ＿ＳＺ」と「ＡＣＣ＿ＴＭ」にはそれ以前のＨＯＢＵ、すなわちＨＯＢ１に属する単一経路データストリームを有するＨＯＢＵの大きさ及び時間長さを累積した値が記録される。
【００２３】
一方、ｃｅｌｌ４の最初のＨＯＢＵ（Ｍ＋１）をカバーするタイムエントリー＃Ｉ＋２の「ＳＴ＿ＨＯＢＵ＿ＩＤＸ」はＨＯＢＵ（Ｍ＋１）のインデックス番号を有し、ｃｅｌｌ３のデータ区間とアングルとが異なるので「ＡＣＣ＿ＴＭ」はｃｅｌｌ３のデータ区間Ｐ１（１）に属するＨＯＢＵの時間長さ情報は加わらない。すなわち、タイムエントリー＃Ｉ＋２の「ＡＣＣ＿ＴＭ」はＨＯＢ１に属するＨＯＢＵの各時間長さのみ累積された値を有するようになる。しかし、「ＡＣＣ＿ＳＺ」にはＨＯＢ１に属するＨＯＢＵの各大きさ情報が合算されて記録される。
【００２４】
同様に、Ｃｅｌｌ５のＨＯＢＵ（Ｏ＋１）をカバーするタイムエントリー＃Ｉ＋３の「ＡＣＣ＿ＴＭ」の場合には、ｃｅｌｌ４のデータ区間Ｐ２（１）の時間長さが累積されず、ｃｅｌｌ６の最初ＨＯＢＵ（Ｑ＋１）をカバーするタイムエントリー＃Ｉ＋４の場合には、ｃｅｌｌ３とｃｅｌｌ５とのデータ区間Ｐ１（１）とＰ１（２）の時間長さが累積されない。
【００２５】
図５で、前記４個のタイムエントリーの累積時間計算で合算されない区間に対しては点線で表示した。
【００２６】
前記のような方法でマルチ経路データストリームとそれに対する記録情報を記録した記録媒体は次のような方法によってサーチまたは再生するようになる。
【００２７】
図６は、前記のように記録されたディスクを再生するＤＶＤ再生器の構成を図示したものである。図６のＤＶＤ再生器１００は、高密度ＤＶＤ１１に記録されたデータを読み出す光ピックアップ１２、光ピックアップから出力されるアナログ信号を信号処理してデジタル信号で出力するアナログ信号処理部１３、アナログ信号処理部から出力されるデジタル信号を信号処理して、ビデオ及びオーディオ再生のためのプレゼンテーションデータと再生制御のためのナビゲーションデータとして各々出力するデジタル信号処理部１４、プレゼンテーションデータ、またはナビゲーションデータによる表現制御情報（Presentation Control Information）を、ＩＥＥＥ１３９４のようなデジタルインタフェースを通して連結接続された外部機器に伝送するインタフェース部１５、ナビゲーションデータまたはユーザー入力によって、前記構成手段の作動を制御する制御部１６、及び前記制御部の作動制御に必要なデータ及び再生に必要な臨時データを格納するメモリ１７を含む。
【００２８】
特定データの記録位置をサーチしようとする場合、高密度ＤＶＤ再生器の制御部１６は、高密度光記録媒体から初期状態として読み出されてメモリ１７にロードされているマッピングリストに含めて記録されているタイムエントリー情報を検索してそのデータの記録位置を算出サーチするが、例を挙げて説明すると次のようである。
【００２９】
図５の例で、マルチ経路ストリームに該当する第２記録集合体ＨＯＢ２の第２プログラムの第５セル、または第３プログラム第６セルが参照する区間内のＨＯＢＵの一つが目標位置になるようにする時間値（ＰＴＭ：Ｐｒｅｓｅｎｔａｔｉｏｎ  ＴｉＭｅ）である１２０１が目標時間として与えられた場合、制御部１６ではメモリ１７のマッピングリストに含まれた多数のタイムエントリー情報を検索して各々のタイムエントリー情報に含めて記録された累積時間「ＡＣＣ＿ＴＭ」を比較する。それで、目標位置値である１２０１を越えずに最も近接する累積時間値を有するタイムエントリー、図５の例で、タイムエントリー＃Ｉ＋３を特定する。そしてそのタイムエントリー類型情報から、単一経路であるのかマルチ経路であるのかを判断する。もしも、タイムエントリー類型情報の２ビットに記録されたストリーム類型情報がマルチ経路ストリームを示す識別値ｂ７、ｂ６である「０、１」に設定されている場合には、記録位置のサーチ時に一緒に入力された経路（アングル）の値とそのタイムエントリー類型に記録されたアングル番号ＳＴＲＭ＿Ｎとが同一であるかを確認するようになる。
【００３０】
入力されたアングルの値が２で、タイムエントリー＃Ｉ＋３のアングル番号１と一致しないと、制御部１６は再び次にタイムエントリーを検索して１２０１を越えずに最も近接する累積時間値「ＡＣＣ＿ＴＭ」を有するタイムエントリーを探す過程を行う。その結果、累積時間値が１２００になるタイムエントリー＃Ｉ＋４を特定する。タイムエントリー＃Ｉ＋４はその類型情報「ＴＭ＿ＥＮＴ＿ＴＹ」の「ＳＴＲＭ＿Ｎ」の値が２で同一であるので、そのタイムエントリーがカバーする記録単位体に目標位置があると判断して、制御部１６はタイムエントリー＃Ｉ＋４に記録された累積大きさ値「ＡＣＣ＿ＳＺ」とタイムエントリー＃Ｉ＋４のスタートＨＯＢＵのスタートインデックス番号「ＳＴ＿ＨＯＢＵ＿ＩＤＸ」の情報を参照してＨＯＢＵ（Ｑ＋１）をサーチするようにし、その位置から再生する。
【００３１】
こうして、制御部１６は高密度ディスク１１から再生されてデジタル信号処理部１４で出力されるナビゲーションデータから所望する正確な目標時間、すなわち１２０１の再生位置のデータを探すことができる。
【００３２】
ＶＴＳのスタートから累積した値をタイムエントリーの「ＡＣＣ＿ＳＺ」と「ＡＣＣ＿ＴＭ」に記録する前述した実施形態とは異なるように、タイムエントリーに自身がカバーする所定個数、例えば１０個のＨＯＢＵの大きさと時間長さとを、大きさと時間の増加分「ＩＮＣ＿ＳＺ」と「ＩＮＣ＿ＴＭ」で記録する場合もある。図７はこのような実施形態によるタイムエントリーの構造を図示したものである。
【００３３】
このように、はじめからの累積の代わりに所定個数のＨＯＢＵの増加分のみをタイムエントリーに記録した場合には、所望する位置をサーチするときに、タイムエントリーの時間長さの増加分「ＩＮＣ＿ＴＭ」と大きさの増加分「ＩＮＣ＿ＳＺ」とを累積して、入力された目標位置の時間値と比較する。このように増加分を累積計算するときは、指定されたアングルとは異なるアングル番号を有するタイムエントリーの「ＩＮＣ＿ＴＭ」は合算しない。一方、「ＩＮＣ＿ＳＺ」はアングルが異なってもこれに関係なく以前のタイムエントリーの大きさ増加分を合算する。もしも、目標位置がマルチ経路ではない単一経路の場合には、マルチ経路のＨＯＢに連関されたタイムエントリーに対しては、任意の一経路、例えば、経路（アングル）１のタイムエントリーの「ＩＮＣ＿ＴＭ」の値のみを合算する。
【００３４】
このような方式で合算された「ＩＮＣ＿ＴＭ」の値と目標位置の時間値を比較して所望するタイムエントリーを決定して、累積された大きさで決定されたタイムエントリーの大きさの増加分を減算し、次にその情報と、決定されたタイムエントリーに記録されている「ＳＴ＿ＨＯＢＵ＿ＩＤＸ」の値の情報を利用して目標位置のＨＯＢＵに近接させて、再生の正確な目標位置を探すことになる。
【図面の簡単な説明】
【００３５】
【図１】本発明による高密度ＤＶＤ記録方式によって単一の記録集合体で区画されるマルチ経路ストリームの例を示した図である。
【図２】本発明によるマッピングリスト一般情報に対する構成を示した図である。
【図３】本発明によるマッピングリストのタイムエントリー情報に対する構成を示した図である。
【図４】本発明によるマッピングリストの記録単位体エントリー情報に対する構成を示した図である。
【図５】本発明によって記録されたマルチ経路データの具体的な例とこれのデータサーチ過程を示した図である。
【図６】本発明によってデータが記録された光記録媒体を再生する高密度ＤＶＤ装置の構成を示した図である。
【図７】本発明によるマッピングリストのタイムエントリー情報に対する他の構成を示した図である。
【符号の説明】
【００３６】
１１…高密度ＤＶＤ、１２…光ピックアップ、１３…アナログ信号処理部、１４…デジタル信号処理部、１５…インタフェース部、１６…制御部、１７…メモリ、１００…高密度ＤＶＤ装置。
【図１】
2005149719.tif 000003
【図２】
2005149719.tif 000004
【図３】
2005149719.tif 000005
【図４】
2005149719.tif 000006
【図５】
2005149719.tif 000007
【図６】
2005149719.tif 000008
【図７】
2005149719.tif 000009